(57)【要約】【課題】薄型化を図りつつオモテ面及びウラ面の両面方向から視認可能な表示器を提供する。【解決手段】ＬＥＤ２を実装した基板３と、拡散材を混合した透明または半透明の樹脂製であって且つ面発光可能なセグメント表示部４１を有する透明セグメント体４と、透明セグメント体４における各セグメント表示部４１の面発光領域を規定する遮光部５１を有する遮光カバー５とを備え、基板３は、セグメント表示部４１に重ならない位置であって且つ各セグメント表示部４１に近接する位置にＬＥＤ２を実装したものであり、さらに、基板３のうち各セグメント表示部４１に重なる部分に開口部３５，３６を形成した構成を採用した。【選択図】図３
2019219430.tif 000002
【特許請求の範囲】
【請求項１】
複数の表示部を個別に照光表示可能な表示器であって、
発光源を実装した基板と、
拡散材を混合した透明または半透明の樹脂製であって且つ面発光可能な複数の前記表示部を一体または一体的に有する透明表示体と、
前記透明表示体における前記各表示部の面発光領域を規定する遮光部を有する遮光カバーとを備え、
前記基板、前記透明表示体及び前記遮光カバーをこの順で積層した形態でユニット化したものであり、
前記基板は、前記積層方向において前記表示部に重ならない位置であって且つ前記ユニット化した状態において前記各表示部に近接する位置に前記発光源を実装したものであり、前記基板のうち前記積層方向において前記各表示部に重なる部分に開口部を形成していることを特徴とする表示器。
【請求項２】
前記各表示部のうち前記積層方向において前記基板側の面をミラー面に設定したもの、又は前記各表示部と前記基板との間に、ミラー面を前記各表示部側に向けた姿勢でミラーを配置したものである請求項１に記載の表示器。
【請求項３】
前記各表示部のうち前記積層方向において前記遮光カバー側の面をハーフミラー面に設定したもの、又は前記各表示部と前記遮光カバーとの間にハーフミラーを配置したものである請求項２に記載の表示器。
【請求項４】
前記積層方向において前記透明表示体よりも前記基板から離れた位置、又は前記積層方向において前記基板よりも前記表示部から離れた位置に、少なくとも前記各表示部に対応する部分に任意の模様が印刷された印刷フィルムを配置している請求項１乃至３の何れかに記載の表示器。
【請求項５】
前記遮光カバーとの間に前記透明表示体及び基板を挟む裏カバーを備え、前記裏カバーのうち前記積層方向において前記各表示部に対向する部分に裏カバー開口部を形成している請求項１乃至４の何れかに記載の表示器。
【請求項６】
前記各表示部が細長い形状のセグメント表示部である請求項１乃至５の何れかに記載の表示器。
【請求項７】
前記表示部が円形または球状のドット表示部である請求項１乃至５の何れかに記載の表示器。
【請求項８】
請求項１乃至７の何れかに記載の前記表示器と、
前記表示器のウラ面側に、前記表示器の前記発光源とは異なる第２発光源により任意の図柄を照光表示可能な第２表示器を配置していることを特徴とする表示装置。
【請求項９】
前記第２表示器が、少なくとも前記各表示部に対応する部分に任意の模様が印刷された印刷フィルムと、前記印刷フィルムを照射する前記第２発光源とを備えたものである請求項８に記載の表示装置。
【発明の詳細な説明】
【技術分野】
【０００１】
本発明は、電子機器等に用いられる表示器、及び表示器を備えた表示装置に関するものである。
【背景技術】
【０００２】
従来より、表示部として機能するセグメント領域を複数並べて、ＬＥＤ等によって発光させるセグメント領域の組み合わせによって、アラビア数字等の文字や記号、絵柄等を表示可能なセグメント表示器（７セグメント表示器）やドットマトリックス表示器が知られている。一例として、プリント基板上にＬＥＤを実装し、ＬＥＤを覆う姿勢で配置されたカバーのうち、ＬＥＤに対応した各位置に導光孔が形成され、カバーの表面に、ＬＥＤからの光を拡散する拡散シートが貼着されたセグメント表示器が挙げられる。
【０００３】
このような導光孔の真下にＬＥＤが配置されるセグメント表示装置であれば、拡散シートによる適切な拡散効果を得るためにカバーの厚さ寸法を一定値以上に大きく設定する必要がある。すなわち、一定値よりも小さい厚さ寸法のカバーを適用した場合には、各ＬＥＤからの光を適切に拡散できず、各発光セグメント領域における輝度の均一性が確保できない。したがって、導光孔及び拡散シートによって構成されるセグメント表示部をＬＥＤと対向する位置に配置する態様では、セグメント表示器全体の薄型化と各発光セグメント領域における輝度の均一性を両立することができない。
【０００４】
特許文献１には、プリント基板上に配置された７つのＬＥＤによって、アラビア数字の８を表すように２つの四角形状の枠状部の一辺を共通にした枠状部の各辺に対応した７つの表示部を照光可能な７セグメント表示器として、表示部に対応してプリント基板に対向配置される透光性を有する７つの導光部と、プリント基板に対向配置される遮光性のフレームとを備え、遮光性のフレームとして、導光部が個別に配置される導光部配置部とＬＥＤを収納可能なＬＥＤ配置部とを連続して有する収容部を、導光部に対応して７つ設けたものを適用し、枠状部の内側または外側にＬＥＤを配置した構成が開示されている。
【０００５】
そして、同文献には、「ＬＥＤ配置部を枠状部の内側又は外側に設けたことから、ＬＥＤを表示部の真下から外れた位置に配置でき（中略）、導光部を薄く構成しても、ＬＥＤと表示部との距離を確保すると共に、ＬＥＤからの直接的な光に起因する表示部の明るさのムラを低減できるので、表示部における輝度の均一性を確保でき（中略）、各表示部における輝度の均一性を確保しつつ、装置全体の薄型化を実現することが可能」であるという作用効果が記載されている。
【先行技術文献】
【特許文献】
【０００６】
【特許文献１】特開２０１３−１９０７４５号公報
【発明の概要】
【発明が解決しようとする課題】
【０００７】
ところで、特許文献１記載の構成を含む従来のセグメント表示器は、点灯したセグメント表示をセグメント表示器の一方の面側（オモテ面側）、つまり表示部側から視認することが可能である一方、反対側（ウラ面側）から視認することは全く想定されていない。このことは、表示部の奥方に遮光性のフレームと略同じサイズの基板が全面的に配置されていることからも容易に理解できる。
【０００８】
また、従来のセグメント表示器では、表示部に点灯される色が基板に実装されたＬＥＤの発光色によって決定されるため、その色（点灯色）に例えば模様や図柄を反映させる（混ぜる）ことで表現のバリエーションを増やすことは不可能または極めて困難である。
【０００９】
このような課題は、セグメント表示器に限らず、複数の表示部を縦横の行列に並べて文字や記号、絵柄等を表示可能なマトリックス表示器やドットマトリックス表示器にも共通の課題である。
【００１０】
本発明は、このような点に着目してなされたものであって、主たる目的は、薄型化を図りつつオモテ面及びウラ面の両面方向から視認可能な表示器、及びこのような表示器を用いて表示部に発光色のみならず、図柄等の特殊な内容も発光色と同時に表示可能な表示装置を提供することにある。
【課題を解決するための手段】
【００１１】
すなわち、本発明は、複数の表示部を個別に点灯させて表示可能な表示器に関する。そして、本発明に係る表示器は、発光源を実装した基板と、拡散材を混合した透明または半透明の樹脂製であって且つ面発光可能な複数の表示部を一体または一体的に有する透明表示体と、透明表示体における各表示部の面発光領域を規定する遮光部を有する遮光カバーとを備え、基板、透明表示体及び遮光カバーをこの順で積層した形態でユニット化したものであり、基板として、積層方向において表示部に重ならない位置であって且つユニット化した状態において各表示部に近接する位置に発光源を実装したものを適用し、基板のうち積層方向において各表示部に重なる部分に開口部を形成していることを特徴としている。
【００１２】
発光源としては、発光ダイオード（ＬＥＤ）を挙げることができるが、本発明では、ＬＥＤ以外の発光源を適用することも可能である。本発明に係る表示器は、基板、透明表示体及び遮光カバーをこの順で積層した形態でユニット化したもの、言い換えれば、遮光カバーと基板の間に透明表示部を配置した形態でユニット化したものである。
【００１３】
このような本発明に係る表示器であれば、拡散材を添加した樹脂製の面発光可能な表示部に対して発光源からの光が入光すると、透明表示体のうち遮光カバーの遮光部によって仕切られた表示部が面発光し、発光させる表示部の数や組み合わせで文字や記号、絵柄等の表示パターンを照光表示することができる。特に、本発明に係る表示器であれば、基板に実装した発光源が積層方向において透明表示体の各表示部に重ならない（対向しない）という第１レイアウト条件と、各表示部に近接する位置に発光源を配置するという第２レイアウト条件とを満たす構成に基づき、積層方向において発光源と表示部とが相互に対向する構成と比較して表示器全体の薄型化を図ることができる。さらに、本発明に係る表示器は、基板のうち積層方向において各表示部に重なる部分に開口部を形成しているため、表示器の表示部側（オモテ面側）から照光表示を視認できるとともに、表示器の基板側（ウラ面側）からも照光表示を視認することができる。
【００１４】
さらに、本発明に係る表示器であれば、透明または半透明の樹脂製の表示部を用いることによって、表示部の奥方（向こう側）が透けて見える構成になり、これまでの表示器では不可能であった使用形態、例えば、表示器の奥方に本発明に係る表示器とは異なる表示部を配置したり、あるいは適宜の画像等を配置して、本発明に係る表示器の表示部にそれら（表示器の奥方に配置された表示器の表示内容や画像）を表示する使用形態が可能になり、表示パターンの増加、多様化を実現できる。
【００１５】
本発明に係る表示器が、各表示部のうち積層方向において基板側の面をミラー面に設定したものであれば、表示部の面発光がミラー面で反射することにより奥行き感のある照光表示になる。ミラー加工処理を施すことでミラー面に設定することが可能である。また、各表示部と基板との間に、ミラー面を各表示部側に向けた姿勢でミラーを配置した構成を採用することで、同様の作用効果を奏する表示器を実現できる。
【００１６】
このようなミラー面又はミラーを有する表示器において、各表示部のうち積層方向において遮光カバー側の面をハーフミラー面に設定すれば、面発光している表示部をハーフミラー側から見た場合に、表示部の面発光がミラー面又はミラーとハーフミラー面で反射を繰り返すことでより一層奥行き感のある照光表示になる。ここで、ハーフミラー面に設定する具体的な態様としては、ハーフミラー加工処理を施したり、蒸着処理を施す態様を挙げることができる。また、各表示部と遮光カバーとの間にハーフミラーを配置した構成を採用することで、同様の作用効果を奏する表示器を実現できる。
【００１７】
本発明に係る表示器において、積層方向において透明表示体よりも基板から離れた位置に、少なくとも各表示部に対応する部分に任意の模様が印刷された印刷フィルムを配置した場合、表示部の表示内容に印刷フィルムの模様を重ねることができ、表現のバリエーションが増える。また、積層方向において基板よりも表示部から離れた位置に、少なくとも各表示部に対応する部分に任意の模様が印刷された印刷フィルムを配置した構成を採用することで、同様の作用効果を得ることができる。
【００１８】
本発明に係る表示器には、表示器のウラ面側に裏カバーを設けた構成、すなわち、遮光カバーとの間に透明表示体及び基板を挟む位置に配置される裏カバーを備えた表示器も包含する。このような表示器は、裏カバーを備えていない構成と比較して、耐衝撃性及び意匠性の向上を図ることができ、特に、ハーフミラー、ミラー、或いは印刷フィルムを設けていない態様では、裏カバーのうち積層方向において各表示部に対向する部分に裏カバー開口部を形成することで、各表示部の照光表示を表示器の表示部側（オモテ面側）及び裏カバー側（ウラ面側）の両面方向から視認可能な構成を確保できる。
【００１９】
本発明に係る表示器は、各表示部として細長い形状のセグメント表示部を適用した場合にセグメント表示器として使用することができ、表示部として円形または球状のドット表示部を適用した場合にドットマトリックス表示器として使用することができる。
また、本発明に係る表示装置は、上述の構成を有する表示器を主体とし、さらに、表示器のウラ面側に、表示器の発光源とは異なる第２発光源により任意の図柄を点灯表示可能な第２表示器を配置していることを特徴としている。
【００２０】
このような本発明に係る表示装置であれば、表示器の各表示部が透明または半透明であって且つオモテ面側及びウラ面側の両方向から表示部を視認できるという構成を利用して、表示器のウラ面側に配置した第２表示器の第２発光源によって図柄を照光表示させた場合、その照光表示が、表示器の表示部による照光表示と重なって混色した内容で表示されることになり、表示器単体で使用する場合と比較して、表現のバリエーションを増やすことができる。なお、第２表示器の第２発光源によって図柄を照光表示させると、その照光表示は、表示器の表示部を照光表示させていない場合であっても、透明または半透明である表示部の奥方において視認することができ、このこともまた表現のバリエーション増加に貢献する。
【００２１】
本発明における第２表示器の一例として、少なくとも表示器の各表示部に対応する部分に任意の模様が印刷された印刷フィルムと、印刷フィルムを照射する第２発光源と備えたものを挙げることができる。このような第２表示器であれば、印刷内容（模様）が異なる複数種類の印刷フィルムから適宜の印刷フィルムを選択・変更することで、多様性・ゲーム性に富んだ多彩な発光表示形態を実現できる。
【発明の効果】
【００２２】
以上に述べたように、本発明によれば、表示器を構成する基板として、表示部に対応する箇所に開口部を形成したものを適用するという新規有用な技術的思想に基づき、これまでの表示器では不可能または極めて困難であった両面方向から視認可能な照光表示機能を発揮するとともに、発光源を各表示部に対して表示器の厚み方向（積層方向）に重ならない位置に配置していることによって薄型化を図ることが可能な表示器、及びこのような表示器を主体として多様性に富む照光表示が可能な表示装置を提供することができる。
【図面の簡単な説明】
【００２３】
【図１】本発明の一実施形態に係るセグメント表示器の全体斜視図及び正面図。
【図２】同実施形態に係るセグメント表示器の背面図及び側面図。
【図３】同実施形態に係るセグメント表示器の分解斜視図。
【図４】図３とは異なる方向から見たセグメント表示器の分解斜視図。
【図５】図３のａ―ａ線断面図。
【図６】同実施形態における透明セグメント体を示す図。
【図７】同実施形態における基板を示す図。
【図８】同実施形態における遮光カバーを示す図。
【図９】同実施形態における裏カバーを示す図。
【図１０】本発明の一実施形態に係るセグメント表示装置の全体斜視図。
【図１１】同実施形態に係るセグメント表示装置の分解斜視図。
【図１２】同実施形態に係るセグメント表示装置の照光表示例を写真で示す図。
【図１３】同実施形態に係るセグメント表示器の一変形例を示す図。
【図１４】図１３に示すセグメント表示器の分解斜視図。
【図１５】同実施形態に係るセグメント表示器の他の一変形例を示す図。
【図１６】図１５に示すセグメント表示器の分解斜視図。
【図１７】同実施形態に係るセグメント表示器のさらに異なる変形例を示す図。
【発明を実施するための形態】
【００２４】
以下、本発明の一実施形態を、図面を参照して説明する。
【００２５】
本実施形態に係る表示器は、図１乃至図４に示すように、細長い表示部であるセグメント表示部４１を縦長また横長の姿勢でアラビア数字の「８」を構成するように配置し、照光表示させるセグメント表示部４１の組み合わせを適宜選択することによって、少なくともアラビア数字の０から９を表示可能な７セグメント表示器１である。ここで、図１（ａ），（ｂ）は、セグメント表示器１の外観斜視図、正面図であり、図２（ａ），（ｂ）は、セグメント表示器１の背面図、側面図である。図３は、セグメント表示器１の分解斜視図であり、図４は、図３とは反対方向の斜め上方から見たセグメント表示器１の分解斜視図である。
【００２６】
本実施形態に係るセグメント表示器１は、発光源であるＬＥＤ２を実装した基板３と、面発光可能な複数のセグメント表示部４１を一体に有する樹脂製の透明セグメント体４（本発明の「透明表示体」に相当）と、透明セグメント体４における各セグメント表示部４１の面発光領域を規定する遮光部５１を有する遮光カバー５と、遮光カバー５との間に透明セグメント体４及び基板３を挟み込む位置に配置される裏カバー６とを備えたものである。図３乃至図５（図５は、図１（ｂ）のａ−ａ線断面図である）に示すように、本実施形態に係るセグメント表示器１は、遮光カバー５、透明セグメント体４、基板３、裏カバー６をこの順で積層した形態でユニット化したものである。以下の説明では、セグメント表示装置Ｘのうち遮光カバー５側を「オモテ面側（正面側）」とし、裏カバー６側を「ウラ面側（背面側）」とする。図２（ｂ）及び図５に、オモテ面側からセグメント表示装置Ｘを見る目の向きを模式的に示している。また、遮光カバー５、透明セグメント体４、基板３、裏カバー６が並ぶ方向を「積層方向Ｄ」または「厚み方向」と定義し、ユニット化した状態を「ユニット状態」と略す。
【００２７】
透明セグメント体４は、図６（同図（ａ），（ｂ），（ｃ），（ｄ）はそれぞれ透明セグメント体４の正面図、側面図、背面図、平面図である）に示すように、７つのセグメント表示部４１を「８」の数字を表すように配置し、各セグメント表示部４１同士を連結部４２によって連結した一体成形品である。本実施形態では、光拡散材を混合した透明または半透明の面発光可能な樹脂（例えば、有限会社エイトの商品名「ＥＰ−１」）によって透明セグメント体４を形成している。本実施形態の透明セグメント体４は、透明度及び衝撃耐性に優れ、端面から光を照射することにより面発光する特性を有する。各セグメント表示部４１の端面の所定領域には、厚み方向に直交する所定方向に突出する入光部４３を形成し、ユニット状態において入光部４３がセグメント表示部４１の他の部分よりも優先してＬＥＤ２に近接するように設定している。隣り合うセグメント表示部４１同士を連結する連結部４２は、厚み寸法をセグメント表示部４１の厚み寸法よりも小さく設定したものである（図６（ｂ），（ｄ）参照）。本実施形態の透明セグメント体４は、このような連結部４２によってセグメント表示部４１同士を連結した構成であるため、隣り合うセグメント表示部４１同士の間に奥方（ウラ面側）に凹んだ溝が形成される（連結部４２が「溝の底」に相当する）。なお、本実施形態の連結部４２は、隣り合うセグメント表示部４１同士のうち相互に対向する面（対向面）全体に亘って形成されたものではなく、対向面の所定部分にのみ形成されている（図６（ａ），（ｃ）参照）。
【００２８】
以下の説明では、７つのセグメント表示部４１のうち、横長の姿勢で配置される３つのセグメント表示部４１を、「上段セグメント表示部４１Ａ」、「中段セグメント表示部４１Ｂ」、「下段セグメント表示部４１Ｃ」とし、縦長の姿勢で配置される４つのセグメント表示部４１を、「左上セグメント表示部４１Ｄ」、「左下セグメント表示部４１Ｅ」、「右上セグメント表示部４１Ｆ」、「右下セグメント表示部４１Ｇ」とする（図６（ａ）等参照）。本実施形態の透明セグメント体４は、上段セグメント表示部４１Ａ、中段セグメント表示部４１Ｂ、左上セグメント表示部４１Ｄ及び右上セグメント表示部４１Ｆによって囲まれる上側中空領域４４と、中段セグメント表示部４１Ｂ、下段セグメント表示部４１Ｃ、左下セグメント表示部４１Ｅ及び右下セグメント表示部４１Ｇによって囲まれる下側中空領域４５とを有する。
【００２９】
基板３は、図７（同図（ａ），（ｂ），（ｃ），（ｄ）はそれぞれ基板３の正面図、側面図、背面図、平面図である）に示すように、外縁形状が略矩形状のフレーム部３１を主体としてなり、フレーム部３１に囲まれる中空領域３２のうち積層方向Ｄにおいて透明セグメント体４の上側中空領域４４に対向する部分に設けたプレート部３３と、フレーム部３１及びプレート部３３を相互に連結する連結部３４とを設けたものである。そして、基板３の中空領域３２は、プレート部３３及び左右一対の連結部３４によって、ユニット状態において透明セグメント体４のうち上段セグメント表示部４１Ａが臨む上側開口部３５と、透明セグメント体４のうち上段セグメント表示部４１Ａ以外の６つのセグメント表示部４１が臨む下側開口部３６とに仕切られている（図７（ａ）参照）。
【００３０】
フレーム部３１の内縁形状は、透明セグメント体４の外縁形状に略対応した形状である。フレーム部３１のうち、ユニット状態において各セグメント表示部４１（具体的には、中段セグメント表示部４１Ｂを除く６つのセグメント表示部４１）に近接する位置にそれぞれＬＥＤ２を実装している。フレーム部３１に実装した６つのＬＥＤ２はそれぞれ中空領域３２に臨む位置に配置される。具体的に、上段セグメント表示部４１Ａに近接するＬＥＤ２は上側開口部３５に臨む位置に配置され、左上セグメント表示部４１Ｄ、左下セグメント表示部４１Ｅ、右上セグメント表示部４１Ｆ、右下セグメント表示部４１Ｇ及び下段セグメント表示部４１Ｃにそれぞれ近接するＬＥＤ２は下側開口部３６に臨む位置に配置される（図７（ａ）参照）。本実施形態では、ユニット状態において各ＬＥＤ２が各セグメント表示部４１の端面、より具体的には各セグメント表示部４１の入光部４３に近接するように設定している。
【００３１】
連結部３４は、ユニット状態において透明セグメント体４のセグメント表示部４１と重ならない位置に設けられたものである。本実施形態では、左右一対の連結部３４のうち一方の連結部３４を、透明セグメント体４のうち上段セグメント表示部４１Ａと左上セグメント表示部４１Ｄを連結する連結部４２と積層方向Ｄに重なる位置に配置するとともに、他方の連結部３４を、透明セグメント体４のうち上段セグメント表示部４１Ａと右上セグメント表示部４１Ｆを連結する連結部４２と積層方向Ｄに重なる位置に配置している。
【００３２】
各ＬＥＤ２は基板３のオモテ面に実装され、基板３のウラ面には、各ＬＥＤ２の点灯制御を実行するコントローラ（図示省略）に接続されるコネクタＣ（例えば、基板３対電線接続圧接コネクタＣ）を実装している（図７（ｂ），（ｃ），（ｄ）参照）。本実施形態のセグメント表示器１は、コントローラによって各ＬＥＤ２を個別に同時または時間差で点灯可能に制御したり、フルカラー発光または単色発光可能に制御できる。なお、ＲＧＢ各色の階調を調整可能に制御するコントローラであってもよい。コントローラは、表示器１とは別体として基板３に接続されたものや、基板３に実装したものや、表示器１内に収容したもの等、適宜のものを採用することができる。
【００３３】
遮光カバー５は、図８（同図（ａ），（ｂ），（ｃ），（ｄ）はそれぞれ遮光カバー５の正面図、側面図、背面図、平面図である）に示すように、ユニット状態において透明セグメント体４及び基板３をオモテ面側から被覆可能なサイズに設定されたものである。遮光カバー５は、基板３の外縁形状と略同一形状の正面カバー５２と、正面カバー５２の外縁からウラ面側に延出するサイドカバー５３とを備えている。正面カバー５２のうちユニット状態において各セグメント表示部４１に対向する部分には、それぞれ厚み方向に貫通する開口部５４を形成している。本実施形態の遮光カバー５は、各開口部５４の開口縁からウラ面側に延出する遮光部５１を設けている。遮光部５１は、透明セグメント体４における各セグメント表示部４１の面発光領域を規定するものである。
【００３４】
本実施形態では、遮光部５１が、各セグメント表示部４１のうち少なくとも厚み方向に直交する面の全部または略全部を覆うように構成している。本実施形態では、ユニット状態において各セグメント表示部４１の入光部４３が正面カバー５２のウラ面に当接するように設定しているため、図８（ｃ）に示すように、各開口部５４の開口縁のうち入光部４３が配置される部分には遮光部５１を形成していない。また、ユニット状態において基板３のプレート部３３が遮光カバー５１のウラ面に対向し、プレート部３３と遮光カバー５１のウラ面の間に、プレート部３３に実装したＬＥＤ２が配置可能なスペースを確保できるように、ユニット状態において基板３のプレート部３３に対向する部分には遮光部５１を設けていない。さらに、遮光部５１のうちユニット状態において透明セグメント体４の連結部４２に対向する部分には切欠部５５を形成し、連結部４２と遮光部５１との接触を回避するように設定している。また、正面カバー５２のウラ面における四隅近傍には、内周部分に雌ネジを形成した円筒部５６を設けている（図８（ｃ）参照）。本実施形態の遮光カバー５は、樹脂製の一体成形品であり、高い遮光性を有する材料から形成したものであってもよいし、遮光性を有しない材料から形成されて適宜の塗料を全体的に塗布することで高い遮光性を付与したものであってもよい。
【００３５】
裏カバー６は、図９（同図（ａ），（ｂ），（ｃ），（ｄ）はそれぞれ裏カバー６の正面図、側面図、背面図、平面図である）に示すように、基板３をウラ面側から被覆可能なものであり、各セグメント表示部４１に対応する７つの裏カバー開口部６１を備えている。裏カバー６は、遮光カバー５と同様に、裏カバー開口部６１を除く全ての部分を高い遮光性を有する材料から形成したものであってもよいし、遮光性を有しない材料から形成されて適宜の塗料を全体的に塗布することで高い遮光性が付与されたものであってもよい。本実施形態の裏カバー６は、基板３とともに遮光カバー５に収容可能なサイズに設定されたものである。
【００３６】
図９（ａ）に示すように、裏カバー６のうち基板３側の面（オモテ面）には、裏カバー開口部６１の開口縁に沿った略全域から基板３側に延出するリブ６２を設け、ユニット状態においてリブ６２が基板３または透明セグメント体４に接触するように設定している。リブ６２のうちユニット状態において基板３の連結部３４に対向する部分には凹部６３を形成している。
【００３７】
本実施形態に係るセグメント表示器１は、上述した４つのパーツ、つまり、遮光カバー５、透明セグメント体４、基板３、裏カバー６から構成され、これらを相互に組み付けてユニット化したものである。本実施形態では、図３及び図４に示すように、裏カバー６の四隅近傍に形成したネジ挿入孔６４に挿入したネジＮを、基板３の四隅近傍に形成したネジ挿入孔３７にも挿入し、遮光カバー５の四隅近傍に形成した円筒部５６の雌ネジに締め付けることによって、遮光カバー５、透明セグメント体４、基板３及び裏カバー６を一体的に組み付けている。なお、セグメント表示器１のオモテ面側から円筒部５６及びネジＮを視認することはできない。
【００３８】
このような本実施形態に係るセグメント表示器１は、図１、図３乃至図５に示すように、透明セグメント体４の各セグメント表示部４１が遮光カバー５の開口部５４を通じてオモテ面に露出し、基板３の開口部３２，３５及び裏カバー６の裏カバー開口部６１を通じてウラ面に露出する構成になる。したがって、本実施形態に係るセグメント表示器１は、オモテ面側から見た場合、及びウラ面側から見た場合の何れにおいても透明セグメント体４の各セグメント表示部４１の向こう側が透けて見える構造になる。
【００３９】
そして、本実施形態に係るセグメント表示器１は、面発光用の適宜の拡散材を添加した樹脂で各セグメント表示部４１を形成しているため、各セグメント表示部４１の端面（入光部４３）に近接配置したＬＥＤ２からの光が導光方式によってセグメント表示部４１に入光すると、各セグメント表示部４１は面で発光する。各セグメント表示部４１の面発光領域は、遮光カバー５の遮光部５１によって仕切られているため、隣り合うセグメント表示部４１であっても個別の面発光領域が確保できる。したがって、本実施形態に係るセグメント表示器１は、それぞれのセグメント表示部４１を独立して点灯制御することによって、任意のアラビア数字を照光表示することができる。ユーザは、セグメント表示器１の照光表示をセグメント表示器１のオモテ面側から視認できるとともに、ウラ面側からも視認することができる。
【００４０】
加えて、本実施形態に係るセグメント表示器１は、基板３に実装したＬＥＤ２を透明セグメント体４の各セグメント表示部４１に対して積層方向Ｄに対向しない位置であって且つ各セグメント表示部４１の端面（入光部４３）に近接する位置に配置しているため、ＬＥＤ２をセグメント表示部４１に対して積層方向Ｄに対向する位置に配置する構成と比較してセグメント表示器全体の薄型化を図ることができる。
【００４１】
さらに、セグメント表示部４１の奥方（向こう側）が透けて見えるセグメント表示器１によれば、これまでのセグメント表示器では不可能であった使用形態、例えば、セグメント表示器１のウラ面側に、別のセグメント表示器１を配置したり、セグメント表示器１以外の表示器や画像等を配置して、セグメント表示器１のウラ面側に配置した表示内容をセグメント表示器１のセグメント表示部４１に表示させる使用形態が可能になり、表示パターンの増加、多様化を実現できる。
【００４２】
本実施形態に係るセグメント表示器１を用いたセグメント表示装置Ｘの一例を図１０及び図１１に示す。セグメント表示装置Ｘは、セグメント表示器１のウラ面側に、セグメント表示器１の発光源とは異なる第２発光源７１により任意の図柄７２１を点灯表示可能な第２表示器７を配置したものである。
【００４３】
第２表示器７は、セグメント表示器１の各セグメント表示部４１に対応する部分に透光性を有する任意の模様や図柄７２１等が印刷された印刷フィルム７２と、印刷フィルム７２を背後（印刷フィルム７２のウラ面側）から照射可能な第２発光源７１であるＬＥＤ（以下「第２ＬＥＤ７１」）とを少なくとも備え、第２ＬＥＤ７１からの光で印刷フィルム７２の印刷内容（模様７２１）を照光表示させるものである。本実施形態では、セグメント表示器１のセグメント表示部４１に対応する領域に任意の図柄７２１（図示例では多数の星が並ぶスター柄）を印刷した印刷フィルム７２を適用している。第２ＬＥＤ７１は、第２基板７３のうち印刷フィルム７２の図柄７２１を照射可能な位置に実装されている。本実施形態では、セグメント表示部４１の位置に対応させて７つの第２ＬＥＤ７１を第２基板７３に実装している。
【００４４】
本実施形態の第２表示器７は、セグメント表示器１と印刷フィルム７２の間にハーフミラー７４を配置し、オモテ面側からセグメント表示器１、ハーフミラー７４、印刷フィルム７２の順で並ぶこれら３パーツを、リフレクター７５の収容部７５１に収容している。リフレクター７５は、台座の形態をなし、オモテ面の中央部分に他の部分よりもウラ面側に凹む収容部７５１を形成し、収容部７５１の底に相当する部分に、セグメント表示部４１に対応する７つの開口部７５２と、各開口部７５２の開口縁からウラ面側に延出する反射壁７５３とを備えている。第２ＬＥＤ７１を実装した第２基板７３は、リフレクター７５のうち反射壁７５３及び印刷フィルム７２の図柄７２１をウラ面側から照射可能な適宜の位置に固定される。
【００４５】
このような本実施形態に係るセグメント表示装置Ｘによれば、セグメント表示器１のウラ面側に配置した第２表示器７の第２発光源７１によって図柄７２１を照光表示させた場合、その照光表示（図１１に示す印刷フィルム７２であれば「スター柄」）が、セグメント表示器１のセグメント表示部４１による照光表示と重なった内容で表示されることになり、セグメント表示器１単体で使用する場合と比較して、発光面であるセグメント表示部４１に図柄７２１を表示させることができ、表現のバリエーションを増やすことができる。ここで、図１２（ａ）に、セグメント表示器１のＬＥＤ２は点灯せず、第２表示器７の第２ＬＥＤ７１の一部が点灯した状態におけるセグメント表示部４１の見え方を示し、図１２（ｂ）に、第２表示器７の第２ＬＥＤ７１の一部が点灯し、且つセグメント表示器１のＬＥＤ２が点灯してセグメント表示器１のセグメント表示部４１にアラビア数字の「５」を照光表示させた状態を示す。このように、本実施形態に係るセグメント表示装置Ｘは、第２表示器７の第２ＬＥＤ７１からの発光により照射される第２表示器７の図柄（図１１に示すスターの図柄や図１２に示す炎の図柄等）をセグメント表示器１のセグメント表示部４１の表示内容に反映させることができる。
【００４６】
このようなセグメント表示装置Ｘを例えば遊技機用表示装置として適用すれば、ユーザの遊技進行状況や抽選結果等に基づいて、ＬＥＤ２や第２ＬＥＤ７１の発光色（具体的には色相・明度・彩度といった色調）や発光状況（例えば点灯状態・点滅状態・消灯状態）を変化させることにより、遊技者の興趣を増大させ、娯楽性やゲーム性を向上させることが可能である。遊技機としては、パチンコ機等の弾球遊技機、あるいはスロットマシン等の回胴式遊技機が挙げられる。
【００４７】
特に、本実施形態に係るセグメント表示装置Ｘによれば、それぞれ印刷内容（図柄７２１）が異なる複数種類の印刷フィルム７２を用意しておき、印刷フィルム７２を交換したり、選択するだけで、セグメント表示部４１の表示内容の見え方をがらりと変えることができ、様々なシュチュエーションに応じた表示内容を実現できる。
【００４８】
さらに本実施形態のセグメント表示装置Ｘは、印刷フィルム７２とＬＥＤ２の間に反射壁７５３を配置しているため、照光表示される印刷フィルム７２の図柄７２１に奥行き感を持たせることができる。なお、第２表示器７の第２発光源７１によって図柄７２１を照射すると、その図柄７２１は、セグメント表示器１のセグメント表示部４１を照光表示させていない場合であっても、透明または半透明であるセグメント表示部４１の奥方において視認することができる（図１２（ａ）参照）。
【００４９】
このように、本実施形態のセグメント表示装置Ｘは、構造や組み立ての複雑化を招来することなく、面発光するセグメント表示部４１の特性を活用して表示態様の多彩化を図ることができ、多様性・ゲーム性に富んだ発光表示形態を可能にする。
【００５０】
なお、本発明は上述した実施形態に限定されるものではない。例えば、セグメント表示器が、各セグメント表示部のうち積層方向において基板側の面（ウラ面）をミラー面に設定したものであってもよい。このような構成であれば、面発光しているセグメント表示部を見た場合に、セグメント表示部の面発光がミラー面で反射することにより奥行き感のある照光表示になる。ミラー面に設定する具体的な態様としては、ミラー加工処理を施す態様を挙げることができる。各セグメント表示部と基板との間に、ミラー面を各セグメント表示部側に向けた姿勢でミラーを配置した構成であっても、同様の作用効果を得ることができる。この場合、各セグメント表示部と基板との間にミラーを個別に配置してもよいし、全てのセグメント表示部を覆い得るサイズのミラーを透明セグメント体と基板との間に配置してもよい。
【００５１】
また、本発明は、ミラー面に加えて、各セグメント表示部のうち積層方向において遮光カバー側の面（オモテ面）をハーフミラー面に設定した表示器も含むものである。このような表示器であれば、面発光しているセグメント表示部をハーフミラー側から見た場合に、セグメントの面発光がミラー面及びハーフミラー面で反射を繰り返すことで奥行き感がさらに向上した照光表示を実現できる。ハーフミラー面に設定する具体的な態様としては、ハーフミラー加工処理を施したり、蒸着処理を施す態様を挙げることができる。各セグメント表示部と遮光カバーとの間にハーフミラーを配置した構成を採用することで、同様の作用効果を奏する表示器を実現できる。この場合、各セグメント表示部と遮光カバーとの間にハーフミラーを個別に配置してもよいし、全てのセグメント表示部を覆い得るサイズのハーフミラーを透明セグメント体と遮光カバーとの間に配置してもよい。
【００５２】
また、本発明における透明セグメント体は、射出成形によって製造可能なものであるため、形状の自由度が高く、厚み方向の寸法（厚み寸法）を上述の実施形態における透明セグメント体４よりも大きく設定した図１３及び図１４に示す透明セグメント体４Ａを備えたセグメント表示器１Ａや、全体的に厚み方向に湾曲させた形状の透明セグメント体４Ｂ（図１５及び図１６）を備えたセグメント表示器１Ｂを実現できる。
【００５３】
図１３及び図１４に示すセグメント表示器１Ａは、上述の実施形態で示すセグメント表示器１と比較して、透明セグメント体４Ａの厚み寸法のみが異なり、セグメント表示部４１Ａのオモテ面及びウラ面が遮光カバー５や裏カバー６よりも外部に突出した形態で露出する構成である。なお、図１３（ａ），（ｂ），図１４は、それぞれセグメント表示器１Ａの正面図、側面図、分解斜視図である。
【００５４】
また、図１５及び図１６に示すセグメント表示器１Ｂは、透明セグメント体４Ｂの湾曲形状に応じて、他のパーツも湾曲形状に設定したものである。この場合、基板３として薄型フィルム基板を適用することで無理なく湾曲形状に変形させることができる。なお、図１５（ａ），（ｂ），（ｃ），図１６は、それぞれセグメント表示器１Ｂの正面図、側面図、平面図、分解斜視図である。図１３乃至図１６では、上述の実施形態における各パーツ、各部分に対応する箇所に同じ符号を付している。
【００５５】
また、セグメントの数や配置を適宜変更・増減することも可能である。図１７（ａ）に示すように、３桁表示可能なセグメント表示器１Ｃや、図示しない２桁表示可能なセグメント表示器、あるいは４桁以上表示可能なセグメント表示器も本発明に含まれる。さらには、アラビア数字以外の文字を表示可能な１４セグメント表示器や、１６セグメント表示器も含まれる。
【００５６】
さらに、本発明では、図１７（ｂ）に示すように、表示部として、細長い形状のセグメント表示部に代えて、円形または球（半球を含む）状のドット表示部を適用し、ドット表示部を縦横の行列に並べて文字や図形等を表示可能なドットマトリックス表示器も実現できる。この場合、透明表示体として、「拡散材を混合した透明または半透明の樹脂製であって且つ面発光可能な複数のドット表示部を一体または一体的に有する透明ドットマトリックス体」を適用することが望ましい。
【００５７】
本発明の表示器は、裏カバーを省いたものであってもよい。本発明では、発光源や第２発光源としてＬＥＤ以外のものを適用することもできる。
【００５８】
本発明における透明表示体は、拡散材を混合した透明または半透明の面発光可能な樹脂製の表示部を複数有するものであればよく、一体成形品に限らず、複数の表示部を適宜の連結具や固定具で一体的に組み合わせたものであっても構わない。
【００５９】
本発明では、拡散材を混合した透明または半透明の面発光可能な樹脂素材として、上述の有限会社エイトの商品名「ＥＰ−１」以外のものを適用することも可能である。
【００６０】
また、コントローラを内蔵した表示器であってもよい。この場合、電源としてボタン電池や小型バッテリーを採用し、電源も内蔵した表示器にすることができる。
【００６１】
また、本発明に係る表示器を主体として構成される表示装置は、図１０及び図１１に示す態様に限定されず、例えば、リフレクターまたはハーフミラーの何れか一方または両方を省いた構成の第２表示器を、表示器の奥方に配置したものであってもよい。
【００６２】
本発明の表示器は、積層方向において透明表示体よりも基板から離れた位置に、少なくとも各表示部に対応する部分に任意の模様が印刷された印刷フィルムを配置したものであっても構わない。この場合、少なくとも任意の模様が印刷された部分が透光性を有することが望ましい。このような表示器であれば、表示部の表示内容に印刷フィルムの模様を重ねて表示することができ、表現のバリエーションが増える。また、積層方向において基板よりも表示部から離れた位置に、少なくとも各表示部に対応する部分に任意の模様が印刷された印刷フィルムを配置した構成を採用した場合にも、同様の作用効果を得ることができる。
【００６３】
その他、各部の具体的構成についても上記実施形態に限られるものではなく、本発明の趣旨を逸脱しない範囲で種々変形が可能である。
【符号の説明】
【００６４】
１…表示器（セグメント表示器）
２…ＬＥＤ
３…基板
３５，３６…開口部
４…透明表示体（透明セグメント体）
４１…表示部（セグメント表示部）
５…遮光カバー
５１…遮光部
６…裏カバー
６１…裏カバー開口部
７…第２表示器
７１…第２発光源（第２ＬＥＤ）
７２…印刷フィルム
Ｘ…発光装置（セグメント発光装置）
【図１】
2019219430.tif 000003
【図２】
2019219430.tif 000004
【図３】
2019219430.tif 000005
【図４】
2019219430.tif 000006
【図５】
2019219430.tif 000007
【図６】
2019219430.tif 000008
【図７】
2019219430.tif 000009
【図８】
2019219430.tif 000010
【図９】
2019219430.tif 000011
【図１０】
2019219430.tif 000012
【図１１】
2019219430.tif 000013
【図１２】
2019219430.tif 000014
【図１３】
2019219430.tif 000015
【図１４】
2019219430.tif 000016
【図１５】
2019219430.tif 000017
【図１６】
2019219430.tif 000018
【図１７】
2019219430.tif 000019